(57)【要約】【課題】効率良く捕虫することができる上、容易に着脱可能なカートリッジタイプの捕虫器を提供すること。【解決手段】捕虫器１０は、虫を誘引する誘引手段１４と、この誘引手段１４を支持する第１支持手段１５と、この第１支持手段１５に着脱可能に設けられるとともに、帯状をなす基材シート２６Ａの一方の面に接着剤層２６Ｂが積層された捕虫シート２６を誘引手段１４の近傍に繰り出し可能に支持する第２支持手段２７と、この第２支持手段２７に設けられて捕虫シート２６を巻き取る巻取手段２８とを備えて構成されている。第２支持手段２７は、誘引手段１４を囲む少なくとも３面に接着剤層２６Ｂを表出するように捕虫シート２６を繰り出し可能に設けられている。【選択図】図３
2011244717.tif 000002
【特許請求の範囲】
【請求項１】
虫を誘引する誘引手段と、この誘引手段を支持する第１支持手段と、この第１支持手段に着脱可能に設けられるとともに、帯状をなす基材シートの一方の面に接着剤層が積層された捕虫シートを前記誘引手段の近傍に繰り出し可能に支持する第２支持手段と、この第２支持手段に設けられて前記捕虫シートを巻き取る巻取手段と備えた捕虫器であって、
前記第２支持手段は、前記誘引手段を囲む少なくとも３面に前記接着剤層を表出するように捕虫シートを繰り出し可能に設けられていることを特徴とする捕虫器。
【請求項２】
前記第１支持手段には、巻取手段に巻き取り力を付与する駆動手段が設けられ、この駆動手段の出力部に、前記巻取手段の巻取中心部に連結可能な連結手段を設けたことを特徴とする請求項１記載の捕虫器。
【発明の詳細な説明】
【技術分野】
【０００１】
本発明は、捕虫器に係り、更に詳しくは、捕虫シートの接着剤層に虫を接着して捕獲することができる捕虫器に関する。
【背景技術】
【０００２】
従来より、例えば、食品や粘着シート、精密機械等の製品に虫が混入することを防止するために捕虫器が利用され、かかる捕虫器としては、例えば、特許文献１に開示されている。特許文献１の捕虫器は、誘虫装置と、これに着脱可能に設けられた捕虫装置とを備えている。
【先行技術文献】
【特許文献】
【０００３】
【特許文献１】特開２００７−７４９０８号公報
【発明の概要】
【発明が解決しようとする課題】
【０００４】
しかしながら、特許文献１の捕虫器にあっては、光源から光が放射状に発せられているものの、光源を囲む１面でしか捕虫を行えないため、捕虫効率が悪いという不都合を招来する。
また、巻取軸に巻き取り力を付与すべく巻取手段にモータを設けた場合、捕虫装置の重量が増大することとなる。このため、誘虫装置に捕虫装置を着脱する作業負担が増大する他、着脱時の振動によってモータが故障し易くなったり、着脱の度にモータへ電力供給するためのプラグ等を接続しなければならなくなり、作業が増える、という不都合がある。
【０００５】
［発明の目的］
本発明の目的は、効率良く捕虫することができる上、容易に着脱可能なカートリッジタイプの捕虫器を提供することにある。
【課題を解決するための手段】
【０００６】
前記目的を達成するため、本発明は、虫を誘引する誘引手段と、この誘引手段を支持する第１支持手段と、この第１支持手段に着脱可能に設けられるとともに、帯状をなす基材シートの一方の面に接着剤層が積層された捕虫シートを前記誘引手段の近傍に繰り出し可能に支持する第２支持手段と、この第２支持手段に設けられて前記捕虫シートを巻き取る巻取手段と備えた捕虫器であって、
前記第２支持手段は、前記誘引手段を囲む少なくとも３面に前記接着剤層を表出するように捕虫シートを繰り出し可能に設けられる、という構成を採っている。
【０００７】
本発明において、前記第１支持手段には、巻取手段に巻き取り力を付与する駆動手段が設けられ、この駆動手段の出力部に、前記巻取手段の巻取中心部に連結可能な連結手段を設けた、という構成を採ることが好ましい。
【発明の効果】
【０００８】
本発明によれば、誘引手段を囲む少なくとも３面に捕虫シートの接着剤層を表出可能となるので、捕虫シートに効率良く虫を誘引して捕虫することが可能となる。
【０００９】
また、第１支持手段側に駆動手段を設けたので、第２支持手段側に駆動手段を設ける必要性をなくすことができ、第２支持手段側の構造の簡略化を図り、軽量化を通じて当該第２支持手段の着脱を容易に行うことができる上、駆動手段の故障の原因をも払拭することが可能となる。
【図面の簡単な説明】
【００１０】
【図１】実施形態に係る捕虫器の概略正面図。
【図２】（Ａ）は図１の図１の側方断面図。（Ｂ）は、（Ａ）の分解図。
【図３】図１の断面図。
【図４】図１の平面図。
【図５】連結手段の概略斜視図。
【発明を実施するための形態】
【００１１】
以下、本発明の実施の形態について図面を参照しながら説明する。
なお、本明細書において、特に明示しない限り、「上」、「下」、「左」、「右」は、図１を基準として用いられ、「前」とは同図中手前側、「後」とは、同奥行き側について用いられる。
【００１２】
図１〜図５において、捕虫器１０は、壁面Ｗに取り付け可能な第１ユニット１１と、この第１ユニット１１に着脱可能に取り付けられるカートリッジタイプの第２ユニット１２とを備えて構成されている。
【００１３】
前記第１ユニット１１は、虫を誘引する誘引手段１４と、この誘引手段１４を支持する第１支持手段１５とを備えて構成されている。
【００１４】
前記誘引手段１４は、図示しない電力源に接続される蛍光灯により構成されている。なお、蛍光灯は、虫を誘引可能な波長の光、例えば紫外線を発光するものが好ましい。
【００１５】
前記第１支持手段１５は、壁面Ｗに沿って位置するとともに、誘引手段１４が装着されるベースフレーム１６と、このベースフレーム１６の上端側に設けられた上部フレーム１７とを備えている。図４に示されるように、上部フレーム１７には、開口１８が設けられている。
【００１６】
前記ベースフレーム１６の下方位置には、駆動手段としてのモータ２０が設けられ、このモータ２０の出力部としての出力軸２０Ａに、連結手段２１が設けられている。連結手段２１は、円錐台形状に形成された挿入体２３と、この挿入体２３の円錐面に突設された複数のリブ２４とを備えている。各リブ２４の頂部は尖った形状とされ、後述する紙管に噛み合って連結可能となっている。
【００１７】
前記第２ユニット１２は、誘引手段１４の近傍に繰り出される帯状の捕虫シート２６と、この捕虫シート２６を誘引手段１４の近傍に繰り出し可能に支持する第２支持手段２７と、この第２支持手段２７に設けられて捕虫シート２６を巻き取る巻取手段２８とを備えて構成されている。
【００１８】
前記捕虫シート２６は、帯状をなす基材シート２６Ａと、この基材シート２６Ａの一方の面に積層された接着剤層２６Ｂとからなる２層構造になっており、この接着剤層２６Ｂ側に剥離シート２６Ｃが仮着され、紙管２６Ｄに巻回されている。
【００１９】
前記第２支持手段２７は、捕虫シート２６の後方において前記ベースフレーム１６の前面に沿って配置され、開口３０Ａが形成された後部フレーム３０と、捕虫シート２６の前方をカバーする前部フレーム３１と、これら後部フレーム３０及び前部フレーム３１の下端側に設けられた底部フレーム３２と、後部フレーム３０及び前部フレーム３１の間に設けられ基材シート２６Ａ側に接して捕虫シート２６を掛け回す複数のガイドローラ３４と、捕虫シート２６を支持する支持体３５と、この支持体３５の近傍に設けられた剥離手段３６とを備えている。前部フレーム３１の上部前面には、開口１８に係合可能なフック部３８が設けられている。
【００２０】
前記支持体３５は、回転軸４３によって前部フレーム３１に回転可能に支持され、紙管２６Ｄの内周面に圧接する支持軸４１と、この支持軸４１の前端に設けられた当て板４２とを備えている。
【００２１】
前記剥離手段３６は、支持体３５から繰り出された捕虫シート２６を上方向に導くガイドローラ４５と、剥離シート２６Ｃを下方向へ導く剥離用ローラ４６とを備えている。剥離用ローラ４６により剥離された剥離シート２６Ｃは、複数のガイドローラ３４に掛け回されて巻取手段２８へ案内され、捕虫シート２６は、各ガイドローラ３４に掛け回されて巻取手段２８へ案内される。これにより、捕虫シート２６は、誘引手段１４を囲む右面、上面、左面の３面に繰り出されることとなる。
【００２２】
前記巻取手段２８は、捕虫シート２６及び剥離シート２６Ｃの両方が巻回される紙管２６Ｅの内周面に圧接する巻取軸５１と、この巻取軸５１の前端に設けられた当て板５２と、巻取軸５１の当て板５２側に設けられて前部フレーム３１に回転可能に支持された回転軸５３と、この回転軸５３に連結された操作ハンドル５５とを備え、この操作ハンドル５５を回すことで捕虫シート２６及び剥離シート２６Ｃの巻き取りを同時に行えるようになっている。巻取手段２８は、紙管２６Ｅ内に連結手段２１の挿入体２３が挿入される位置に設けられている。なお、巻取軸５１と支持軸４１とは同径に設けられ、使用済みになった紙管２６Ｄを巻取軸５１に取り付けて当該紙管２６Ｄを再利用可能に設けられている。
【００２３】
前記捕虫器１０を使用するときは、先ず、第１ユニット１１から第２ユニット１２を取り外した状態で、捕虫シート２６を支持体３５から所定長さ引き出す。そして、ガイドローラ４５の位置で剥離シート２６Ｃを剥離し、各ガイドローラ３４に捕虫シート２６を掛け回した後、当該捕虫シート２６のリード端を紙管２６Ｅに固定する。また、剥離シート２６Ｃも剥離用ローラ４６に掛け回した後、そのリード端を紙管２６Ｅに固定する。
【００２４】
次いで、図２（Ｂ）の二点鎖線で示されるように、第２ユニット１２の上部が後方に傾くようにしながらフック部３８を開口１８に引っ掛け、この引っ掛けた部分を中心として、第２ユニット１２の下部を第１ユニット１１方向へ回動させる。これにより、第１ユニット１１に第２ユニット１２が装着されるとともに、同時に巻取手段２８の紙管２６Ｅに連結手段２１の挿入体２３が挿入され、当該紙管２６Ｅに各リブ２４が連結される。なお、第２ユニット１２は、磁石やプランジャ等の図示しない固定手段によって第１ユニット１１に着脱可能に固定される。
【００２５】
この装着によって、誘引手段１４を囲う左右両面及び上面、すなわち誘引手段１４を囲む３面に接着剤層２６Ｂを表出するように捕虫シート２６を繰り出し可能に配置することができる。
【００２６】
そして、捕虫器１０に電源が供給されると、誘引手段１４が発光し、その光は、捕虫シート２６を透過して外部に発せられ、誘引手段１４に誘引されて飛来して来た虫は、接着剤層２６Ｂに接着して捕獲される。
【００２７】
そして、一定期間の捕虫が完了すると、操作ハンドル５５若しくはモータ２０を図１中矢印Ｒ１方向に回転させる。これにより、支持軸４１に支持された捕虫シート２６が図３中矢印Ｒ２方向に回転して繰り出され、未使用の捕虫シート２６が繰り出される。なお、操作ハンドル５５を回転操作するタイミングでモータ２０も同時に駆動させるように構成すれば、操作ハンドル５５の回転操作に要する力が軽減されるアシスト機能として使用することができる。また、操作ハンドル５５はなくてもよい。
【００２８】
なお、紙管２６Ｅに巻き取られた捕虫シート２６の回収や新しい捕虫シート２６をセットする場合、装着の逆の手順で第１ユニット１１から第２ユニット１２を取り外す。
【００２９】
従って、このような実施形態によれば、誘引手段１４を囲う左右の各面と上面との３面に捕虫シート２６の接着剤層２６Ｂを表出して効率良く捕虫を行うことが可能となる。
また、壁面Ｗに取り付けられる第１ユニット１１にモータ２０を設け、連結手段２１を介してモータ２０の駆動力を巻取手段２８に付与できるようにしたので、第２ユニット１２の簡略化を図り、第２ユニット１２の着脱を容易に行うことができるようになる上、着脱によるモータ２０の振動を回避して当該モータ２０が故障することを防止することが可能となる。
【００３０】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３１】
例えば、誘引手段１４は、虫を誘引する作用を奏する限りにおいて種々の変更が可能であり、匂いや音等で誘引可能なものであってもよく、蛍光灯に代替、若しくは、蛍光灯と併用することができる。また、前記蛍光灯に替え、環状の蛍光灯や電球、ＬＥＤ（発光ダイオード）等の他の発光源によって誘引手段１４を構成してもよい。
【００３２】
更に、巻取手段２８を２体設け、使用済みの捕虫シート２６と、剥離シート２６Ｃとを別々の巻取手段２８で巻き取りしてもよい。
【符号の説明】
【００３３】
１０  捕虫器
１４  誘引手段
１５  第１支持手段
２０  モータ（駆動手段）
２１  連結手段
２６  捕虫シート
２６Ａ  基材シート
２６Ｂ  接着剤層
２７  第２支持手段
２８  巻取手段
【図１】
2011244717.tif 000003
【図２】
2011244717.tif 000004
【図３】
2011244717.tif 000005
【図４】
2011244717.tif 000006
【図５】
2011244717.tif 000007